(57)【要約】測定対象溶液に含まれる有機物の有無を、２０質量ｐｐｂ以下のオーダーで分析する分析方法を提供する。次の工程を備える測定対象溶液における有機物の分析方法である。測定対象溶液から５００ｍｌ以下のサンプリング溶液を採取するサンプリング工程。サンプリング溶液を活性炭８に通液させて、当該活性炭に有機物を吸着させる吸着工程。疎水性溶剤に有機物を抽出する抽出工程。有機物が抽出された疎水性溶剤を用いて試料溶液を作製する試料準備工程。クロマトグラフによって２０質量ｐｐｂ以下の有機物が測定対象溶液に含まれているか否かを分析する分析工程。活性炭８の比表面積が８００ｍ２／ｇ以上で、サンプリング溶液に対する活性炭８の量が０．０２５ｇ／ｍｌ以上である。吸着工程における活性炭８の排出端側のサンプリング溶液の通液速度が７．５ｍｌ／分以下である。
2014175307.tif 000002
【特許請求の範囲】
【請求項１】
有機物の含有量が未知の測定対象溶液から５００ｍｌ以下のサンプリング溶液を採取するサンプリング工程と、
前記サンプリング溶液を活性炭に通液させて、当該活性炭に前記有機物を吸着させる吸着工程と、
前記有機物が吸着した前記活性炭に疎水性溶剤を通液させ、当該疎水性溶剤に前記有機物を抽出する抽出工程と、
前記有機物が抽出された前記疎水性溶剤を用いて、前記有機物の分析に供する試料溶液を作製する試料準備工程と、
クロマトグラフによって前記試料溶液に含まれる成分を測定し、２０質量ｐｐｂ以下の有機物が前記測定対象溶液に含まれているか否かを分析する分析工程と、を備え、
前記吸着工程で使用する前記活性炭の比表面積が８００ｍ２／ｇ以上で、前記サンプリング溶液に対する前記活性炭の量が０．０２５ｇ／ｍｌ以上であり、
前記吸着工程における前記活性炭の排出端側のサンプリング溶液の通液速度が７．５ｍｌ／分以下である測定対象溶液における有機物の分析方法。
【請求項２】
前記分析工程において、有機物の含有量が既知の標準溶液に含まれる成分をクロマトグラフによって測定することで得られた標準データを取得し、
前記試料溶液を測定することで得られた分析データと、その標準データと、を比較することで、前記測定対象溶液に含まれる有機物の含有量を定量する請求項１に記載の測定対象溶液における有機物の分析方法。
【請求項３】
前記分析工程において、前記クロマトグラフへの前記試料溶液の導入に、プログラム昇温気化法を用いる請求項１または請求項２に記載の測定対象溶液における有機物の分析方法。
【請求項４】
前記測定対象溶液は、レドックスフロー電池用電解液である請求項１〜請求項３のいずれか一項に記載の測定対象溶液における有機物の分析方法。
【請求項５】
前記有機物は、フタル酸エステル類である請求項４に記載の測定対象溶液における有機物の分析方法。
【請求項６】
前記吸着工程において、前記活性炭を複数のユニットに分割し、前記サンプリング溶液を各ユニットに連続的に通液させる請求項１〜請求項５のいずれか一項に記載の測定対象溶液における有機物の分析方法。
【請求項７】
前記吸着工程、前記抽出工程、および前記試料準備工程を全自動で行なう請求項１〜請求項６のいずれか一項に記載の測定対象溶液における有機物の分析方法。
【発明の詳細な説明】
【技術分野】
【０００１】
本発明は、測定対象溶液に含まれる極微量の有機物を分析するための測定対象溶液における有機物の分析方法に関する。
【背景技術】
【０００２】
測定対象溶液に含まれる極微量の有機物を分析することがある。例えば、特許文献１には、メッキ液や電池電解液などの高濃度塩溶液（測定対象溶液）に含まれる有機成分（有機物）を分析する有機成分分析方法（測定対象溶液における有機物の分析方法）が開示されている。【０００３】
特許文献１では、活性炭を用いた固相抽出によって高濃度塩溶液から有機成分を抽出し、分析している。より具体的には、有機成分を含む高濃度塩溶液からサンプリングしたサンプリング溶液を活性炭に通液して、サンプリング溶液中の有機成分を活性炭に吸着させる工程と、吸着後工程後に活性炭に溶剤を通液して、吸着された有機成分を溶出する工程と、有機成分の溶出された溶剤を濃縮乾燥する工程と、濃縮乾燥後の有機成分を試料に用いてクロマトグラフにより分析する工程と、を行なっている。
【先行技術文献】
【特許文献】
【０００４】
【特許文献１】特許第３８２１０００号公報
【発明の概要】
【発明が解決しようとする課題】
【０００５】
近年、測定対象溶液に質量ｐｐｂオーダー（十億分の一のオーダー）の有機物が含まれているか否かを分析することが求められる場合がある。例えば、本出願人の最近の研究によれば、レドックスフロー電池に用いられる電解液では、２０質量ｐｐｂ以下という極微量の有機物であってもレドックスフロー電池の性能に大きな影響を与えることが判ってきた。しかし、特許文献１の測定対象溶液における有機物の測定方法では、そのような極微量の有機物を分析することが難しい。特許文献１の分析方法は、主としてメッキ液に含まれる質量ｐｐｍオーダー（百万分の一のオーダー）の有機物を分析することを目的とした分析方法であって、質量ｐｐｂオーダーの有機物を分析することを想定した分析方法ではないからである。【０００６】
本発明は上記事情に鑑みてなされたものであり、本発明の目的の一つは、測定対象溶液に含まれる有機物の有無を、２０質量ｐｐｂ以下のオーダーで分析することができる測定対象溶液における有機物の分析方法を提供することにある。
【課題を解決するための手段】
【０００７】
本発明の一形態の測定対象溶液における有機物の分析方法は、サンプリング工程と、吸着工程と、抽出工程と、試料準備工程と、分析工程と、を備える。
［サンプリング工程］…有機物の含有量が未知の測定対象溶液から５００ｍｌ以下のサンプリング溶液を採取する。
［吸着工程］…サンプリング溶液を活性炭に通液させて、当該活性炭に有機物を吸着させる。ここで、吸着工程で使用する活性炭の比表面積が８００ｍ２／ｇ以上で、サンプリング溶液に対する活性炭の量が０．０２５ｇ／ｍｌ以上である。また、吸着工程における活性炭の排出端側のサンプリング溶液の通液速度が７．５ｍｌ／分以下である。
［抽出工程］…有機物が吸着した活性炭に疎水性溶剤を通液させ、当該疎水性溶剤に前記有機物を抽出する。
［試料準備工程］…有機物が抽出された疎水性溶剤を用いて、有機物の分析に供する試料溶液を作製する。
［分析工程］…クロマトグラフによって試料溶液に含まれる成分を測定し、２０質量ｐｐｂ以下の有機物が測定対象溶液に含まれているか否かを分析する。
【発明の効果】
【０００８】
本発明の測定対象溶液における有機物の分析方法によれば、測定対象溶液に含まれる２０質量ｐｐｂ以下の有機物の有無を分析することができる。
【図面の簡単な説明】
【０００９】
【図１】測定対象溶液における有機物の分析方法に利用する有機物の吸着装置の一例を示す概略図である。
【図２】試験例におけるＰＴＶ注入口の昇温プログラムの温度プロファイルを示す模式図である。
【図３】試験例におけるクロマトグラフに備わるカラムの昇温プログラムの温度プロファイルを示す模式図である。
【発明を実施するための形態】
【００１０】
［本発明の実施形態の説明］
最初に本発明の実施形態の内容を列記して説明する。
【００１１】
＜１＞本実施形態の測定対象溶液における有機物の分析方法は、サンプリング工程と、吸着工程と、抽出工程と、試料準備工程と、分析工程と、を備える。
・サンプリング工程では、有機物の含有量が未知の測定対象溶液から５００ｍｌ以下のサンプリング溶液を採取する。
・吸着工程では、サンプリング溶液を活性炭に通液させて、当該活性炭に有機物を吸着させる。ここで、吸着工程で使用する活性炭の比表面積が８００ｍ２／ｇ以上で、サンプリング溶液に対する前記活性炭の量が０．０２５ｇ／ｍｌ以上である。また、吸着工程における活性炭の排出端側のサンプリング溶液の通液速度が７．５ｍｌ／分以下である。
・試料準備工程では、有機物が抽出された疎水性溶剤を用いて、有機物の分析に供する試料溶液を作製する。
・分析工程では、クロマトグラフによって試料溶液に含まれる成分を測定し、２０質量ｐｐｂ以下の有機物が測定対象溶液に含まれているか否かを分析する。
【００１２】
上記構成とすることで、測定対象溶液に含まれる有機物が２０質量ｐｐｂ以下であっても測定対象溶液に含まれる有機物の有無を分析することができる。それは、上記吸着工程において所定の比表面積の活性炭を所定量以上用いることで、活性炭とサンプリング溶液との接触面積を十分に確保でき、かつ活性炭の排出側の通液速度を所定値以下とすることで、サンプリング溶液が活性炭に接触する時間（即ち、活性炭に有機物が吸着される時間）を十分に確保できるからである。この接触面積と接触時間の確保によって、サンプリング溶液に含まれる有機物が極微量であったとしても、その有機物を活性炭に高収率で吸着させることができる。なお、言うまでもないが、本実施形態の測定対象溶液における有機物の分析方法は、２０質量ｐｐｂを超える有機物が含まれている可能性のある測定対象溶液の分析に利用することもできる。
【００１３】
＜２＞本実施形態の測定対象溶液における有機物の分析方法として、分析工程において、有機物の含有量が既知の標準溶液に含まれる成分をクロマトグラフによって測定することで得られた標準データを取得し、試料溶液を測定することで得られた分析データと、その標準データと、を比較することで、前記測定対象溶液に含まれる有機物の含有量を定量する形態を挙げることができる。
【００１４】
予め有機物の含有量が判っている標準溶液を分析に供することで、有機物の含有量がどの程度であればどのような測定結果が得られるかという傾向が見て取れる標準データが得られる。そのため、この標準データと、試料溶液の分析データと、を比較することで、測定対象溶液に含まれる有機物の含有量をかなりの精度で定量することができる。
【００１５】
＜３＞本実施形態の測定対象溶液における有機物の分析方法として、分析工程において、クロマトグラフへの試料溶液の導入に、プログラム昇温気化（ｐｒｏｇｒａｍｍｅｄ  ｔｅｍｐｅｒａｔｕｒｅ  ｖａｐｏｒｉｚａｔｉｏｎ；ＰＴＶ）法を用いる形態を挙げることができる。
【００１６】
ＰＴＶ法は、昇温可能なＰＴＶ注入口を用いた試料溶液の導入方法であって、予め定められた昇温プログラムに従って試料溶液を加熱し、試料溶液に含まれる有機物を気化させてクロマトグラフに導入する。ＰＴＶ注入口を用いることで、測定溶液に含まれる成分（有機物を含む）の気化温度の相違を利用して、成分の分解能を高めることができる。その結果、サンプリング溶液に含まれる有機物の分析をより正確に行なうことができる。
【００１７】
＜４＞本実施形態の測定対象溶液における有機物の分析方法として、測定対象溶液は、レドックスフロー電池用電解液（以下、ＲＦ電解液）である形態を挙げることができる。
【００１８】
昨今、地球温暖化への対策として、太陽光発電、風力発電といった自然エネルギー（所謂、再生可能エネルギー）を利用した発電が世界的に活発に行なわれている。これらの発電出力は、天候などの自然条件に大きく左右されるため、電力系統に大容量の蓄電池を設置して、出力変動の平滑化、余剰電力の蓄電、負荷平準化などを図ることが検討されている。その大容量の蓄電池の一つにレドックスフロー電池（以下、ＲＦ電池）がある。ＲＦ電池は、正極電極と負極電極との間に隔膜を介在させた電池セルに正極電解液及び負極電解液をそれぞれ供給して充放電を行う二次電池である。このようなＲＦ電池に用いられるＲＦ電解液は通常、酸化還元により価数が変化する金属元素を活物質として利用している。例えば、正極活物質としてＦｅイオンを、負極活物質としてＣｒイオンを用いた鉄（Ｆｅ２＋／Ｆｅ３＋）−クロム（Ｃｒ３＋／Ｃｒ２＋）系ＲＦ電池や、両極の活物質にＶイオンを用いたバナジウム（Ｖ２＋／Ｖ３＋−Ｖ４＋／Ｖ５＋）系ＲＦ電池を挙げることができる。
【００１９】
ここで、ＲＦ電池では、電極上の電気化学反応（電極反応）により充放電が行なわれている。そのため、電極が設計時の仕様通りに機能しないと、電池出力の低下や電池容量の低下などの電池特性の低下を招く。例えば、電極の表面に不純物が付着して電極上の反応活性点が覆われると、実質的に電極の表面積が減じられ、電池出力の低下、電池容量の低下に繋がる。そのような不純物のうちの特に有機物は、電極反応の低下に極めて深刻な影響を与えることが判ってきた。そのため、ＲＦ電解液中の有機物の定量に本実施形態の測定試料における有機物の分析方法を用いて、ＲＦ電池に供するＲＦ電解液における２０質量ｐｐｂ以下の有機物の有無を予め把握しておくことで、安定した性能を発揮するＲＦ電池を作製することができる。もちろん、ＲＦ電池の運用後におけるＲＦ電解液の抜き取り検査に、本実施形態の分析方法を利用することもできる。
【００２０】
なお、言うまでもないが、本実施形態の測定対象溶液における有機物の分析方法は、ＲＦ電解液における有機物の分析に利用されることに限定されるわけではない。例えば、本実施形態の分析方法は、メッキ液における有機物の分析など、溶媒１０００ｍｌあたり５０ｇ以上の無機塩が溶解した高濃度塩溶液における有機物の分析に利用することもできる。
【００２１】
＜５＞測定対象溶液がＲＦ電解液である本実施形態の測定対象溶液における有機物の分析方法として、有機物は、フタル酸エステル類である形態を挙げることができる。
【００２２】
最近の出願人の研究によって、有機物の中でも特にフタル酸エステル類がＲＦ電解液に含まれていると、電池反応の低下に極めて深刻な影響を与えることが判った。このフタル酸エステル類は、ＲＦ電解液中における有機物濃度が質量ｐｐｂオーダーという極微量であったとしても、電池反応を阻害し易い。そのため、ＲＦ電解液におけるフタル酸エステル類の分析は、レドックスフロー電池の性能を安定させる上で重要である。
【００２３】
＜６＞本実施形態の測定対象溶液における有機物の分析方法として、吸着工程において、活性炭を複数のユニットに分割し、サンプリング溶液を各ユニットに連続的に通液させる形態を挙げることができる。
【００２４】
上記形態によれば、活性炭の排出側の通液速度を７．５ｍｌ／分以下に調整することが容易にできる。活性炭を複数のユニットに分割する具体例としては、例えば、活性炭を充填した複数の管を用意し、それらの管を軸方向に連結させた形態を挙げることができる。
あるいは、内部に少なくとも一つの狭窄部を形成した管に活性炭を充填させた形態、即ち狭窄部を挟んで上下に活性炭が分割された形態を挙げることができる。その他、自動抽出機に設置される複数の管に活性炭が分割された形態を挙げることもできる。この場合、ｎ番目の管から排出されたサンプリング溶液を、ｎ＋１番目の管に導入すると良い（ｎは自然数）。
【００２５】
＜７＞本実施形態の測定対象溶液における有機物の分析方法として、吸着工程、抽出工程、および試料準備工程を全自動で行なう形態を挙げることができる。
【００２６】
有機物の吸着・有機物の抽出・試料溶液の準備の一連の工程を全自動で行なう形態とすることで、吸着工程におけるサンプリング溶液の通液速度、および抽出工程における疎水性溶剤の通液速度を、ほぼ設定通りの通液速度とすることができ、またその通液速度をほほ一定に保持することができる。そのため、有機物の分析結果の安定性・信頼性を向上させることができる。また、自動化によって、サンプリング溶液への有機物の混入（コンタミネーション）を抑制することができることも、有機物の分析結果の安定性・信頼性の向上に寄与する。
【００２７】
［本発明の実施形態の詳細］
本実施形態に係る測定対象溶液における有機物の分析方法を以下に説明する。なお、本発明はこれらの例示に限定されるわけではなく、特許請求の範囲によって示され、特許請求の範囲と均等の意味および範囲内の全ての変更が含まれることを意図する。
【００２８】
＜実施形態１＞
実施形態１では、バナジウム系ＲＦ電解液（測定対象溶液）に含まれる有機物を分析（定量）する例を説明する。当該ＲＦ電解液は、バナジウムイオンを活物質として含有する無機塩溶液である。例えば、バナジウムイオン濃度は１Ｍ以上、３Ｍ以下、硫酸イオン濃度は１Ｍ以上、４Ｍ以下とすると良く、その場合ＲＦ電解液の平均価数はおよそ、３．３以上、３．７以下である。このような平均価数のＲＦ電解液は、正極側の電解液としても負極側の電解液としても各価数のバナジウムイオン濃度のバランスが良い。そのため、このような平均価数のＲＦ電解液を用いてＲＦ電池を構成した場合、ＲＦ電池の容量を非常に高くすることができる。もちろん、測定対象溶液は、鉄−クロム系ＲＦ電解液であっても良い。
【００２９】
上記バナジウム系ＲＦ電解液（以下、単にＲＦ電解液とする）には、その作製過程において有機物が混入する可能性がある。その他、ＲＦ電解液を用いたＲＦ電池の運転に伴って、ＲＦ電池の構成部材やＲＦ電解液に接する雰囲気からＲＦ電解液に有機物が混入する可能性もある。有機物としては、例えば、ｔｅｔｒａｄｅｃｅｎｅ（Ｃ１４Ｈ２８）や、ｏｃｔａｎｅｔｈｉｏｌ（Ｃ８Ｈ１８Ｓ）、ｎ−ｄｅｃａｎｅ（Ｃ１０Ｈ２２）、フタル酸エステルの一種であるフタル酸ジオクチル（Ｃ２４Ｈ３８Ｏ４）を含むエステル類などを挙げることができる。これら有機物のＲＦ電解液における含有量が質量ｐｐｂオーダー、具体的には２０質量ｐｐｂ以下であった場合、従来の分析方法では、ＲＦ電解液中の有機物を定量するために１０００ｍｌ以上の大量のＲＦ電解液を定量用にサンプリングする必要がある。このような大量のサンプリング溶液を用いると、定量に時間がかかる上、ＲＦ電池の作製に供するＲＦ電解液が大きく減じられることになる。そこで、本実施形態１では、以下に示す測定対象溶液における有機物の分析方法を実施する。
【００３０】
本実施形態１で用いた測定対象溶液における有機物の分析方法は、サンプリング工程と、吸着工程と、抽出工程と、試料準備工程と、分析工程と、を備える。各工程を順次説明する。
【００３１】
≪サンプリング工程≫
サンプリング工程では、作製したＲＦ電解液から５００ｍｌ以下のサンプリング溶液を採取する。サンプリング工程の次の吸着工程の仕様によっては、採取するサンプリング溶液は、３００ｍｌ以下、２００ｍｌ以下、１００ｍｌ以下とすることもできる。
【００３２】
≪吸着工程≫
吸着工程では、サンプリング溶液を活性炭に通液させて、サンプリング溶液に含まれる有機物を活性炭に吸着させる。吸着工程における活性炭としては、その比表面積が８００ｍ２／ｇ以上のものを使用し、使用する活性炭の量は、サンプリング溶液１ｍｌ当たり０．０２５ｇ以上とする。そうすることで、サンプリング溶液に含まれる有機物が吸着される活性炭の表面積を十分に確保することができる。また、吸着工程においては、活性炭の排出端側の通液速度が７．５ｍｌ／分以下となるように調節する。そうすることで、サンプリング溶液と活性炭との接触時間を十分に確保することができる。
【００３３】
活性炭の排出端側の通液速度を７．５ｍｌ／分以下とするには、活性炭を複数のユニットに分割すると良い。例えば、図１に示す吸着装置１を用いることで、上記通液速度を７．５ｍｌ／分以下に調節することができる。図１の吸着装置１は、排出側にコック２ｃを有する下方管２と、下方管２の導入口２ｉに嵌め込まれる上方管３と、を備える。下方管２の導入口２ｉは広口に形成されており、その導入口２ｉに上方管３の排出口３ｏ側の部分を嵌め込み易くなっている。上方管３の排出側にはコックは形成されておらず、導入口３ｉは広口になっていない。これらの管２，３にはそれぞれ、ガラスウール９・活性炭８・ガラスウール９の順に詰め込まれており、上方管３の導入口３ｉからサンプリング溶液を導入すれば、当該サンプリング溶液は両管３，２の活性炭８に通液されて、下方管２の排出口２ｏから排出される。このような連結管構造の吸着装置１によれば、上方管３でサンプリング溶液の通液速度が減じられ、さらにコック２ｃを有する下方管２でもサンプリング溶液の通液速度が減じられるので、活性炭８の排出端側の通液速度を７．５ｍｌ／分以下に調節することが容易にできる。なお、ガラスウール９は、管２，３からの活性炭８の脱落を防止すると共に、サンプリング溶液の通液速度を減じる役割も果たす。
【００３４】
吸着装置１は、その使用前に、活性炭の吸着した吸着物の洗浄と、活性炭の親水性の向上と、を目的とする前処理（コンディショニング）を行うことが好ましい。例えば、ベンゼンなどの疎水性溶剤、エタノールなどのアルコール、蒸留水、の順に活性炭に通液する。疎水性溶剤により吸着物を洗浄することができ、アルコールで疎水性溶剤を洗浄することができ、蒸留水で活性炭の親水性を向上させることができる。
【００３５】
吸着装置１の前処理が終了したら、吸着装置１の上方管３の導入口３ｉからサンプリング溶液を導入する。その際、有機物が吸着される活性炭８の表面積が十分に確保されており、しかも活性炭８とサンプリング溶液との接触時間も十分に確保されていることから、サンプリング溶液に含まれる有機物が高収率で活性炭８に吸着される。
【００３６】
≪抽出工程≫
抽出工程では、吸着装置１の活性炭８に疎水性溶剤を通液させ、活性炭に吸着された有機物を疎水性溶剤に溶解させ、抽出する。その抽出に先立ち、活性炭８の水分を除去することが好ましい。例えば、エタノールなどのアルコールを活性炭８に通液させることで、活性炭８の水分を除去できる。アルコールは、有機物の抽出にあたって活性炭８に通液される疎水性溶剤と活性炭８との馴染みを良くする役割も果たす。
【００３７】
抽出工程に利用する疎水性溶剤としては、例えばベンゼンなどの有機溶剤を挙げることができる。疎水性溶剤の通液によって、活性炭８に吸着された有機物を効率的に回収することができる。
【００３８】
≪試料準備工程≫
試料準備工程では、有機物が抽出された疎水性溶剤を用いて、有機物の分析に供する試料溶液を作製する。具体的には、まず有機物が抽出された疎水性溶剤を乾燥させ、有機物を濃縮する。有機物の濃縮には、減圧エバポレーターを利用することができる。減圧エバポレーターを利用した濃縮条件としては、例えば、０．０８ＭＰａ以上０．１ＭＰａ以下で、６５℃以上８０℃以下×１５分以上３０分以下とすることが挙げられる。
【００３９】
有機物を濃縮したら、定容量の溶媒に有機物を溶解させた試料溶液を作製する。試料溶液の作製に利用する溶媒は、アセトンなどの低沸点溶剤（定量する有機物の沸点よりも低沸点の溶剤）とすると良い。この試料溶液の容量は１．５ｍｌ以上、５．０ｍｌ以下程度とすることが好適である。
【００４０】
≪分析工程≫
分析工程では、クロマトグラフ（ガスクロマトグラフ）によって試料溶液に含まれる有機物を分析する。
【００４１】
ここで、分析工程では、クロマトグラフへの試料溶液の導入に、プログラム昇温気化法（ＰＴＶ法）を利用することが好ましい。ＰＴＶ法を利用することで、試料溶液の成分の分解能を高めることができる。昇温プログラムは、試料溶液の成分の組成によって適宜変更すると良い。例えば、有機物がフタル酸ジオクチルで、この有機物を溶解させる溶媒がアセトンである場合、ＰＴＶ注入口の昇温プログラムは、６０℃〜７０℃で２．５分以下の加熱を行なう第一加熱期間と、１２０℃〜１５０℃で３．０分以下の加熱を行なう第二加熱期間と、３００℃〜３５０℃で５．０分以下の加熱を行なう第三加熱期間と、を備える昇温プログラムを挙げることができる。各加熱期間へ移行する際の昇温速度は、２００℃／分以上、３００℃／分以下とすることが好ましい。
【００４２】
第一加熱期間では主として試料溶液の溶媒を気化させる、即ちアセトン（沸点＝５６．５℃）を気化させる。この第一加熱期間では溶媒（アセトン）は気化するが有機物（フタル酸ジオクチル）は殆ど気化しない。気化したアセトンは、クロマトグラフに導入せず、排気する。次の第二加熱期間では主に、測定対象である有機物を気化させる、即ちフタル酸ジオクチルを気化させる。気化したフタル酸ジオクチルはクロマトグラフに備わるカラムに導入する。第三加熱期間では、試料溶液の高沸点成分を気化させ、それに伴い有機物（フタル酸ジオクチル）を完全に気化させる。この気化成分もクロマトグラフのカラムに導入する。
【００４３】
クロマトグラフに備わるカラムに試料を導入したら、カラムの温度を上げて、カラムから各成分をクロマトグラフの検出器に導入する。カラムの昇温プログラムは、例えば、昇温開始温度が６０℃〜１００℃で、約２０℃／分の昇温速度で３５０℃までカラムを加熱し、カラムを３５０℃で２０分以下保持する昇温プログラムを挙げることができる。カラムの温度設定は、ピークの分離、即ち成分の分解能に影響を与える。
【００４４】
有機物の分析、即ち有機物の定量は、クロマトグラフを制御するコンピューターが自動で行なってくれる。例えば、予め有機物の含有量が判っている標準溶液をクロマトグラフで分析した標準データを取得しておき、その標準データに基づいて有機物の定量を行なう。単に、２０質量ｐｐｂ以下の有機物が測定対象溶液に含まれるか否かを分析しても良い。
【００４５】
≪効果≫
以上説明した測定対象溶液における有機物の分析方法によれば、測定対象溶液に含まれる有機物が２０質量ｐｐｂ以下で、かつ測定対象溶液からサンプリングされるサンプリング溶液が５００ｍｌ以下であっても、測定対象溶液に含まれる有機物を定量することができる。それは、主として、上記分析方法における吸着工程で、サンプリング溶液に含まれる有機物を活性炭に高収率で吸着させることができるからである。
【００４６】
＜試験例１＞
試験例１では、バナジウム系ＲＦ電解液に含まれる有機物を、以下に示すように実際に定量した。
【００４７】
≪測定対象溶液の準備≫
バナジウムイオン濃度が１．８Ｍ、硫酸イオン濃度が３Ｍのバナジウム系ＲＦ電解液を用意した。このＲＦ電解液には、意図的にフタル酸ジオクチル（有機物）を含有させており、その濃度は１０．０質量ｐｐｂであった。この濃度は一例に過ぎず、検出限界の０．５質量ｐｐｂ以上の濃度であれば同様の分析が可能である。なお、近年の出願人の研究によれば、ＲＦ電解液におけるフタル酸ジオクチルの許容含有量は１０質量ｐｐｂ以下である。
【００４８】
≪吸着装置の準備≫
図１に示す連結管構造の吸着装置１を用意した。吸着装置１を構成する下方管２と上方管３はガラス製とした。下方管２には、ガラスウール９を詰めて、その上に３．５ｇのビーズ状の活性炭８を詰め、さらにガラスウール９を詰めた。また、上方管３にも、ガラスウール９を詰め、その上に４．５ｇのビーズ状の活性炭８を詰め、さらにガラスウール９を詰めた。両管２，３に詰めた活性炭８の比表面積は８００ｍ２／ｇであった。つまり、吸着装置における活性炭の総表面積は、８００ｍ２／ｇ×８ｇ＝６４００ｍ２であった。
【００４９】
≪吸着装置の前処理≫
吸着装置１に対して、活性炭８の洗浄と親水化のための前処理を施した。具体的には、二段カラムに５ｍｌのベンゼンを１０回通液させ、次いで５ｍｌのエタノールを３回通液させ、最後に２０ｍｌの蒸留水を３回通液させた。
【００５０】
≪活性炭へのフタル酸ジオクチルの吸着≫
前処理を施した吸着装置１の活性炭８に、ＲＦ電解液からサンプリングした２００ｍｌサンプリング溶液を通液させた。具体的には、吸着装置１の上方管３の導入口３ｉからサンプリング溶液を導入した。その際、下方管２のコック２ｃを調節し、下方管２の排出口２ｏから排出されるサンプリング溶液の滴下速度を、７．５ｍｌ／分以下に調節した。サンプリング溶液は廃棄した。
【００５１】
≪有機物の抽出≫
活性炭８に吸着させたフタル酸ジオクチルを抽出する前処理として、まず４００ｍｌの蒸留水を吸着装置１に通液させ、管２，３の内周面および活性炭８に付着したバナジウムイオンや硫酸イオンなどを除去した。次いで、５ｍｌのエタノールを吸着装置１に４回通液させ、吸着装置１内の水分を除去した。蒸留水およびエタノールは廃棄した。
【００５２】
上記前処理が終了したら、５ｍｌのベンゼンを吸着装置１に４回通液させ、２０ｍｌの回収液を平底フラスコに回収することを５回繰り返した。回収液の総量は約１００ｍｌであった。
【００５３】
≪有機物の濃縮≫
回収液を減圧エバポレーターで乾燥させた。回収液を入れるエバポレーターの内部は、予めアセトンで３回、ベンゼンで１回洗浄しておいた。回収液の乾燥の際、平底フラスコの内部を減圧しつつ平底フラスコを回転させ、回収液のベンゼンを濃縮・乾固させた。濃縮条件は、０．１ＭＰａで、６５℃×２０分とした。
【００５４】
≪試料溶液の作製≫
ベンゼンを濃縮した後の平底フラスコの内部に２ｍｌのアセトンを投入し、アセトンにフタル酸ジオクチルを溶解させた。そのアセトン溶液を回収し、ディスクフィルター付きのシリンジに移し入れた。そして、シリンジからディスクフィルターを介して濾過液をバイアル瓶に移し入れ、試料溶液とした。
【００５５】
≪有機物の分析≫
上記バイアル瓶をガスクロマトグラフのオートサンプラーにセットし、ＰＴＶ法によって試料溶液をクロマトグラフに導入し、有機物の分析を行なった。ＰＴＶ法におけるＰＴＶ注入口とクロマトグラフのカラムの昇温プログラムの条件は以下の通りであった。参考までに、ＰＴＶ注入口とカラムの昇温プログラムの温度プロファイルをそれぞれ、図２および図３の模式図に示す。
（ＰＴＶ注入口）
第一加熱時間＝６０℃×２．５分
第二加熱時間＝１２０℃×３．０分
第三加熱時間＝３００℃×５．０分
昇温速度＝３００℃／分
（カラム）
開始温度＝１００℃
保持温度＝３５０℃
昇温速度＝２０℃／分
【００５６】
なお、有機物の分析にあたって、予めフタル酸ジオクチルの含有量が判っている標準溶液の分析も行なう。標準溶液から得られる標準データがあれば、この標準データと、試料溶液から得られる分析データと、を比較することで、バナジウム系ＲＦ電解液に含まれるフタル酸ジオクチルの濃度を定量することができる。本試験例では、フタル酸ジオクチルの含有量が異なる二種類の標準溶液から二つの標準データを取得し、定量の精度を向上させた。一方の標準溶液は、アセトン１ｍｌあたり２μｇのフタル酸ジオクチルを含む標準溶液、他方の標準溶液は、アセトン１ｍｌあたり５μｇのフタル酸ジオクチルを含む標準溶液であった。
【００５７】
≪定量結果≫
ガスクロマトグラフで得られた分析データの結果、フタル酸ジオクチルを検出することができた。また、その分析データと、標準溶液から得られた標準データと、の比較に基づいて、バナジウム系ＲＦ電解液におけるフタル酸ジオクチルの濃度は９．８質量ｐｐｂであるとの結果が得られた。バナジウム系ＲＦ電解液の準備の際に意図的に含有させたフタル酸ジオクチルの濃度が１０．０質量ｐｐｂであるので、かなりの精度でバナジウム系ＲＦ電解液におけるフタル酸ジオクチルを定量できることが明らかになった。
【００５８】
＜試験例２＞
試験例１の比較例として、試験例２では吸着工程に使用する吸着装置を単管構造として、ＲＦ電解液におけるフタル酸ジオクチルの定量を行なった。吸着装置以外の構成、定量手順は試験例１と同様である。もちろん、ＲＦ電解液におけるフタル酸ジオクチルの含有量も、試験例１と同様に、１０．０質量ｐｐｂであった。
【００５９】
試験例２の吸着装置は、ガラス製の管に、グラスウール、活性炭、グラスウールの順に詰め込むことで作製した。活性炭の比表面積は８００ｍ２／ｇ、活性炭の総量は８ｇであった。この単管構造の吸着装置に２００ｍｌのサンプリング溶液を通液させると、サンプリング溶液の滴下速度（活性炭の排出端側の通液速度に同じ）は１０ｍｌ／分であった。
【００６０】
以後、試験例１と同様の手順に従って試料溶液を作製し、その試料溶液に含まれる有機物の分析を行なったところ、フタル酸ジオクチルの存在を確信できるような分析データを得ることができなかった。
【００６１】
以上説明した試験例２の結果から、サンプリング溶液の滴下速度が速い場合、ＲＦ電解液に含まれる質量ｐｐｂオーダーのフタル酸ジオクチルを定量することはもちろん、検出することすら困難であることが別った。
【００６２】
＜付記＞
上記実施形態の最も特徴的な部分は、活性炭とサンプリング溶液との接触面積を十分に確保することと、サンプリング溶液が活性炭に接触する時間を十分に確保することである。この観点からすれば、次のような測定対象溶液における有機物の分析方法によっても、測定対象溶液における質量ｐｐｂオーダーの有機物を分析できる可能性がある。
【００６３】
即ち、測定対象溶液における有機物の分析方法は、サンプリング工程と、吸着工程と、抽出工程と、試料準備工程と、分析工程と、を備える。
・サンプリング工程では、有機物が含まれていることが疑われる測定対象溶液から５００ｍｌ以下のサンプリング溶液を採取する。
・吸着工程では、サンプリング溶液と活性炭とを同一容器中で撹拌し、当該活性炭に有機物を吸着させる。ここで、吸着工程で使用する活性炭の比表面積が８００ｍ２／ｇ以上で、サンプリング溶液に対する前記活性炭の量が０．０２５ｇ／ｍｌ以上である。また、吸着工程における撹拌時間は２０分以上、６０分以下である。
・抽出工程では、有機物が吸着した活性炭に疎水性溶剤を通液させ、当該疎水性溶剤に前記有機物を抽出する。
・試料準備工程では、有機物が抽出された疎水性溶剤を用いて、有機物の分析に供する試料溶液を作製する。
・分析工程では、クロマトグラフによって試料溶液に含まれる成分を測定し、２０質量ｐｐｂ以下の有機物が測定対象溶液に含まれているか否かを分析する。
【００６４】
サンプリング工程、試料準備工程、および分析工程は、実施形態１と同様に行なえば良い。
【００６５】
吸着工程では、例えばビーカー等の容器内にサンプリング溶液を投入し、スターラー等でサンプリング溶液を撹拌しつつ、徐々にサンプリング溶液に活性炭を加えていけば良い。ここで、上記撹拌時間は、活性炭の全量投入時をスタート時間とする撹拌時間である。
【００６６】
抽出工程では、例えば、吸着工程を終えたサンプリング溶液と活性炭との混合溶液をカラムに投入し、そのカラムに親水性溶剤（エタノールなど）を通液してサンプリング溶液を洗い流し、その後、疎水性溶剤を注ぎ込めば良い。ここで、混合溶液をカラムに投入したときにカラムから排出されるサンプリング溶液は廃棄して良い。また、親水性溶剤も、サンプリング溶液の残渣を除去する目的で通液するものであるので、廃棄して良い。サンプリング溶液に含まれる有機物は、上記吸着工程において十分に活性炭に吸着されたと考えられるからである。
【産業上の利用可能性】
【００６７】
本発明の測定対象溶液における有機物の分析方法は、測定対象溶液に含まれる有機物の分析に好適に利用することができる。特に、本発明の測定対象溶液における有機物の分析方法は、レドックスフロー電池用電解液に含まれる有機物を分析することで、レドックスフロー電池用電解液の品質検査に好適に利用することができる。
【符号の説明】
【００６８】
１  吸着装置
２  下方管    ２ｉ  導入口  ２ｏ  排出口  ２ｃ  コック
３  上方管    ３ｉ  導入口  ３ｏ  排出口
８  活性炭
９  ガラスウール
【図１】
2014175307.tif 000003
【図２】
2014175307.tif 000004
【図３】
2014175307.tif 000005
【国際調査報告】
2014175307.tif 000006
2014175307.tif 000007
2014175307.tif 000008
2014175307.tif 000009